(57)【要約】【課題】送り先が異なる複数の申込書紙片とその他の紙片が綴じ合わされ、申込書自体が封書になり、直接申込先に送付できる入会申込書及びその使用方法を提供する。【解決手段】前記課題の目的を達成するために、送り先が異なる２つ以上の申込書紙片を含む複数紙片が一端で綴じ合わされた入会申込書であって、前記申込書紙片は、粘着剤側が剥離処理された保護紙／粘着剤／タック基材で構成される積層構造を成し、前記保護紙を申込書周縁内側に形成された切込みによって所定の幅を有する枠状領域と枠状領域の内側領域に分断し、前記枠状領域の内側領域の保護紙を申込書とし、申込書に申し込み事項を記載し、保護紙の枠状領域を剥ぎ取って除去し、申込書紙片の申込書を内側に折り畳み、保護紙側に露出した枠状の粘着剤によって密封して封書とし、封書を受け取った側は、剥離処理された保護紙を剥して申込書として使用する。【選択図】  図１
2006007419.tif 000002
【特許請求の範囲】
【請求項１】
送り先が異なる２つ以上の申込書紙片を含む複数紙片が一端で綴じ合わされた長方形の入会申込書であって、
前記申込書紙片は、粘着剤側が剥離処理された保護紙／粘着剤／タック基材で構成される積層構造を成し、
前記保護紙を申込書周縁内側に形成された切込みによって所定の幅を有する枠状領域と枠状領域の内側領域に分断し、
前記枠状領域の内側領域の保護紙を申込書とすることを特徴とする入会申込書。
【請求項２】
請求項1記載の入会申込書において、粘着剤が再剥離を意図しない強粘着剤であることを特徴とする入会申込書。
【請求項３】
請求項1記載の入会申込書において、粘着剤が再剥離型粘着剤であることを特徴とする入会申込書。
【請求項４】
請求項1記載の入会申込書において、複数紙片の少なくとも１つはチラシ紙片であることを特徴とする入会申込書。
【請求項５】
請求項１から４の何れか１項に記載の入会申込書の使用方法であって、
申込書紙片が封筒になった時に表出する面のタック基材に申込書受け取り人の宛先情報を記載し、申込書に申し込み事項を記載し、保護紙の枠状領域を剥ぎ取って除去し、
申込書紙片の申込書を内側に折り畳み、保護紙側に露出した枠状の粘着剤によって密封して封書とし、封書を受け取った側は、剥離処理された保護紙を剥して申込書として使用することを特徴とする入会申込書の使用方法。
【発明の詳細な説明】
【技術分野】
【０００１】
本発明は、入会申込書及びその使用方法に関し、詳しくは、送り先が異なる複数の申込書紙片と、その他の紙片が綴じ合わされ、申込書自体が封書になり、直接申込先に送付できる入会申込書及びその使用方法に関する。
【背景技術】
【０００２】
近年、クレジットカード業界をはじめとするカード業界で、チラシ，入会申込書，封筒が一体となった「入会申込書付きチラシ」が多く利用されている。
これら「入会申込書付きチラシ」の多くは、入会申込書に記載されたカード会社が配布するようになっているが、例えば、ショッピングセンター等カード会社ではない団体、または、企業がクレジットカードを発行する場合がある。
上記のような場合、ショッピングセンターが募集して、ショッピングセンターとクレジットカード会社との提携カードを発行することになるため、「入会申込書付きチラシ」は、Ａカード，Ｂカード，Ｃカード等異なるカード会社の入会申込書が一体化された入会申込書となっている。
この場合、本来クレジットカード入会申込書は、顧客が選択したカード会社に直接送付されることが好ましいのであるが、入会申込書は、一旦、募集を行うショッピングセンターに送付される。このような形態を取る場合は、募集を行うショッピングセンターが中継業務を請け負っている。
募集を行ったショッピングセンターは、申込情報の把握ができるというメリットがあるが、申し込んだ者の個人情報がショッピングセンターに知られることになる。
個人情報保護の要求が高まりつつある昨今、ショッピングセンターが入会審査に関わる情報、例えば、年収，世帯構成，勤続先等の情報に接することは好ましい状態とはいえない。
【０００３】
前述ような背景から、提携カードの入会申込書を直接カード会社に送付したいというニーズが生じてきた。
このようなニーズに対して、例えば、封筒が綴じ合わされている申込書帳票があるが、全てのカード会社ごとに封筒を内蔵させるのは製造上難しく、そのために製造コストが高くなり実用的ではなかった。
【発明の開示】
【発明が解決しようとする課題】
【０００４】
そこで、本発明は、送り先が異なる複数の申込書紙片とその他の紙片が綴じ合わされ、申込書自体が封書になり、直接申込先に送付できる入会申込書及びその使用方法を提供する。
【課題を解決するための手段】
【０００５】
前記課題の目的を達成するために、本発明の入会申込書の請求項１に記載の発明は、送り先が異なる２つ以上の申込書紙片を含む複数紙片が一端で綴じ合わされた長方形の入会申込書であって、前記申込書紙片は、粘着剤側が剥離処理された保護紙／粘着剤／タック基材で構成される積層構造を成し、前記保護紙を申込書周縁内側に形成された切込みによって所定の幅を有する枠状領域と枠状領域の内側領域に分断し、前記枠状領域の内側領域の保護紙を申込書とすることを特徴とするものである。
【０００６】
また、請求項２に記載の発明は、請求項1記載の発明において、粘着剤が再剥離を意図しない強粘着剤であることを特徴とするものである。
【０００７】
また、請求項３に記載の発明は、請求項1記載の発明において、粘着剤が再剥離型粘着剤であることを特徴とするものである。
【０００８】
また、請求項４に記載の発明は、請求項1記載の発明において、複数紙片の少なくとも１つはチラシ紙片であることを特徴とするものである。
【０００９】
また、請求項５に記載の発明の入会申込書の使用方法は、請求項１から４の何れか１項に記載の入会申込書の使用方法であって、申込書紙片が封書になった時に表出する面のタック基材に申込書受け取り人の宛先情報を記載し、申込書に申し込み事項を記載し、保護紙の枠状領域を剥ぎ取って除去し、申込書紙片の申込書を内側に折り畳み、保護紙側に露出した枠状の粘着剤によって密封して封書とし、封書を受け取った側は、剥離処理された保護紙を剥して申込書として使用することを特徴とするものである。
【発明の効果】
【００１０】
１）請求項１に記載のように、送り先が異なる２つ以上の申込書紙片を含む複数紙片が一端で綴じ合わされた長方形の入会申込書であって、前記申込書紙片は、粘着剤側が剥離処理された保護紙／粘着剤／タック基材で構成される積層構造を成し、前記保護紙を申込書周縁内側に形成された切込みによって所定の幅を有する枠状領域と枠状領域の内側領域に分断し、前記枠状領域の内側領域の保護紙を申込書とすることによって、申込書と封筒が一体化されており、申込書に必要事項を記載した後枠状の糊代形成部を露出し、折り目に沿って畳むだけで封書になるために、受け取り側では封書の品質が一定し、申込書の保管が容易になる。また、複数の申込書が綴じ合わされていることによって、申し込み側は、申込先を自由に選択することができる。
２）また、請求項２に記載のように、請求項1記載の発明において、粘着剤が再剥離を意図しない強粘着剤であることによって送付途中で開封される心配がない。
３）また、請求項３に記載のように、請求項1記載の発明において、粘着剤が再剥離型粘着剤であることによって、申し込み側は、貼り損なった時に貼り直すことができ、受け取った側は容易に開封することができる。
４）また、請求項４に記載のように、請求項1記載の発明において、複数紙片の少なくとも１つはチラシ紙片であることによって、提携先の宣伝文を印刷することができる。
その結果、申込書紙片自体に宣伝や使用上の説明等を印刷する必要がない。
５）また、請求項５に記載の入会申込書の使用方法のように、請求項１から４の何れか１項に記載の入会申込書の使用方法であって、申込書紙片の封書になった時に表出する面のタック基材に申込書受け取り人の宛先情報を記載し、申込書に申し込み事項を記載し、保護紙の枠状領域を剥ぎ取って除去し、申込書紙片の申込書を内側に折り畳み、保護紙側に露出した枠状の粘着剤によって密封して封書とし、封書を受け取った側は、剥離処理された保護紙を剥して申込書として使用することによって、利用者は、申込書に必要事項を記載した後ワンタッチで、糊代部が形成可能となり、申込書は、粘着剤が形成されたタック基材から剥して使用できるために通常の申込書と同等の保管方法を選択することができる。
【発明を実施するための最良の形態】
【００１１】
以下、図面を参照して本発明の入会申込書及びその使用方法について説明する。
図１は、本発明の入会申込書の構成について説明するための図，図２は、申込書紙片の申込書側と封筒側について説明するための図，図３は、図２のＡ−Ａ線断面図，図４は、本発明の入会申込書を送付する側の使用方法について説明するための図，図５は、本発明の入会申込書を受け取った側の使用方法について説明するための図である。
【００１２】
図１を参照して、本発明の入会申込書の構成について説明する。
入会申込書１は、複数種（本実施の形態では３種類）の申込書紙片１２，１３，１４，と、チラシ紙片１１が、図１の左端、切取りミシン１１１と、チラシ紙片１１の左端の間で綴じ合わされている。
図示しないが、綴じ部は、線状，点状に形成された糊や、細い針金によって綴じられている。申込書紙片１２，１３，１４の天地サイズは、チラシ紙片１１と同一サイズなっている。
また、３種類の申込書紙片の長辺サイズは、図１では同一サイズになっているが、申込書紙片１３を申込書紙片１２より長くし、申込書紙片１４を申込書紙片１３より長くし、見え易いように見出しを付けてもよい。
【００１３】
チラシ紙片１１には、内側に綴じられている異なるカード会社の申込書紙片１２，１３，１４の使用方法や、この入会申込書１を取り扱っているショッピングセンター等の宣伝文章などが印刷によって記載されている。
【００１４】
申込書紙片１２，１３，１４には、４つに折り畳むための３本のミシン目や、筋押し部１４４（以下、筋押し部という。）がそれぞれに略同じ間隔で形成されている。
申込書紙片１２，１３，１４の片面には、入会申し込み内容を記載する申込書１４６が形成されている。
また、それぞれの申込書紙片には、選択した申込書紙片（例えば、申込書紙片１４）を入会申込書１から切取るための切取りミシン１４１が形成されている。
また、封書にするために接着部１４７を露出するための切込み１４５が申込書紙片１４の周縁に沿って形成されている。
【００１５】
図２を参照して、申込書紙片の申込書内容記載面側と宛先情報記載側（封筒面）について説明する。
以下の説明では、申し込み者が申し込み紙片１４を選択した場合について説明する。
ａ図は、申込書記載面で、申込書紙片１４が図１に示す入会申込書１の冊子から切取りミシン１４１で切り離された状態を示している。
ｂ図は、申込書紙片１４が畳まれて封書になった時に表出する面を表示しており、一方の表出面には送付先宛名情報２が印刷され、他の表出面には差出人情報３を記載する欄が設けてある。
申込書紙片１４は、図３で説明するが、保護紙／粘着剤／タック基材の３層構造となっており、保護紙が粘着剤との境界から剥がされて分離できるようになっている。
【００１６】
申込書紙片１４は、上述のように２枚の貼り合わせ構造になっており、折り曲げ難い構造になっている。そのため、申込書記載面には内側に折り畳み易くするための筋押し部１４４が形成されている。
さらに、接着部をワンタッチで露出させるために、申込書紙片１４の周縁に沿った内側に切込み１４５が形成されている。
この切込み１４５で、申込書１４６と、「逆コの字」に形成された枠部分（１４７）を分断させている。
【００１７】
図３を参照して、図２のＡ−Ａ線断面について説明する。
図２は、申込書紙片１４の断面図で、申込書紙片は、保護紙１４０１，粘着剤１４０３，タック基材１４０４が積層された構造になっている。
保護紙１４０１の粘着剤面には剥離剤１４０２が塗布されている。
また、申込書紙片１４には、保護紙１４０１側から押し型による筋押し部１４４が形成されている。
【００１８】
図３を参照して申込書紙片の材料について説明する。
まず、保護紙１４０１，タック基材１４０４として、例えば、上質紙，グラシン紙，コート紙，アート紙，模造紙などから選択して使用する。保護紙１４０１に使用される材料は表面強度が強い材料が使用される。
保護紙１４０１は、カード会社などで使用される場合に、保管適性を有していることが必要で、使用される紙の坪量は、５０〜１０５ｇｍ2程度が適当である。
タック基材１４０４は、保護紙ほど厚い必要はなく、使用される紙の坪量は、４５〜８２ｇｍ2程度が適当である。
保護紙と、タック基材は２層になった状態で折り曲げられ、封書を形成するために、貼り合わされた合計の厚さが厚過ぎない方が好ましい。
【００１９】
剥離剤は、粘着剤の粘着力に合わせて選択される。粘着剤の強度に合わせて市販の剥離剤をコーティングによって塗布するか、印刷によって印刷し形成する。
粘着剤１４０３は、市販の粘着剤を入手し使用する。
【００２０】
図４，図５を参照して、本発明の入会申込書の使用方法について説明する。
ｃ図は、図２で説明した申込書紙片１４（ａ図）の申込書に必要事項、例えば、住所，氏名，性別，生年月日，年齢，職業，年収，住居の形態などの個人情報が記入された状態を示している。記入に際しては、チラシ紙片などに記載された注意書き等が参照される。
必要事項が記載された申し込み書紙片１４は、切込み１４５で、申し込み書１４６と枠状の紙片に分断される。
ｄ図は、ｃ図の枠状の紙片（「逆コの字」に形成された枠部分）が除去され、接着部１４７が露出した状態を示している。
ｅ図は、ｄ図に示す状態から申込書紙片１４を、筋押し部１４４で折り畳みながら封書を形成する過程を示す図である。
ｆ図は、封書になって一方の面に送付先情報２を表出した状態を示している。
ｇ図は、送付された封書を開封した状態を示している。
ｇ図のように開封されるためには、図３で説明した粘着材１４０３が、再剥離型の粘着剤である必要があり、強粘着型の粘着剤が選択された場合は、申込書紙片のタック基材側に開封ミシン（図示せず）を設ける。
ｈ図は、開封された申込書紙片１４のタック基材１４０４から保護紙１４０１である申込書１４６を剥した状態を示している。
申し込みを行う者は、ｃ図からｅ図で示した手順によって申込書を作成する。
即ち、申込書に記載された内容を確認し、申込書紙片の封書になった時に表出する面のタック基材に差出人の住所氏名を記載し、保護紙の枠状領域を剥ぎとって除去し、申込書紙片の申込書を内側に、申込書紙片に形成された筋押し部で折り畳み、保護紙側に露出した枠状の粘着剤によって密封して封書とする。
封書を受け取った側は、ｇ図からｈ図で示した手順によって封書を開封し、保護紙を剥して申込書として使用する。
【産業上の利用可能性】
【００２１】
本発明の入会申込書は、チラシ紙片と複数の申込書紙片とが綴じ合わされた入会申込書に利用できる。
【図面の簡単な説明】
【００２２】
【図１】本発明の入会申込書の構成について説明するための図である。
【図２】申込書紙片の申込書側と封筒側について説明するための図である。
【図３】図２のＡ−Ａ線断面図である。
【図４】本発明の入会申込書を送付する側の使用方法について説明するための図である。
【図５】本発明の入会申込書を受け取った側の使用方法について説明するための図である。
【符号の説明】
【００２３】
１      入会申込書
２      送付先宛名情報
３      差出人情報
１１    チラシ紙片
１２，１３，１４  申込書紙片
１１１，１４１  切取りミシン
１４４  筋押し部
１４５  切込み
１４６  申込書（内側領域）
１４７  接着部（糊代，枠状領域）
１４０１  剥離剤
１４０２  剥離剤
１４０３  粘着剤
１４０４  タック基材
【図１】
2006007419.tif 000003
【図２】
2006007419.tif 000004
【図３】
2006007419.tif 000005
【図４】
2006007419.tif 000006
【図５】
2006007419.tif 000007